(57)【要約】【課題】ハンドル部を確実に操作することができ、医療用ペーストの混練及び注入を効率よく迅速に行うことができる医療用ペースト混練注入器を提供すること。【解決手段】医療用ペースト混練注入器１は、シリンダ２と、シリンダ２の内部をその軸線方向Ｄ１に摺動可能な仕切り具２１と、仕切り具２１の貫通孔２６に挿通され、往復運動と回転運動とが可能なシャフト部２２と、シャフト部２２の一端２８に設けられる攪拌部２３と、シャフト部２２の他端２９に設けられるハンドル部２４とを備える。ハンドル部２４は、シャフト部２２の一端側を向く固定端３５側からその反対側の自由端３６側に向けて径が大きくなるように円錐台状に形成された本体部３１を有する。【選択図】図１
2016036401.tif 000002
【特許請求の範囲】
【請求項１】
一端に開口を有し他端にノズル部を有するシリンダと、
前記シリンダの内部を前記シリンダの軸線方向に摺動可能な仕切り具と、
前記仕切り具の中心を貫く貫通孔に挿通され、前記貫通孔を出入りする前記軸線方向への往復運動と軸線を中心とする回転運動とが可能なシャフト部と、
前記シャフト部の一端であって前記シリンダ内に位置する部分に設けられた攪拌部と、
前記シャフト部の他端であって前記シリンダ外に位置する部分に固定されるハンドル部と
を備えた医療用ペースト混練注入器であって、
前記ハンドル部は、
前記シャフト部の一端側を向く固定端側からその反対側の自由端側に向けて径が大きくなるように錐台状に形成された本体部を有する
ことを特徴する医療用ペースト混練注入器。
【請求項２】
前記本体部は円錐台状に形成されていることを特徴とする請求項１に記載の医療用ペースト混練注入器。
【請求項３】
前記本体部の外周面には、複数の凸部または複数の凹部が形成されていることを特徴とする請求項１または２に記載の医療用ペースト混練注入器。
【請求項４】
前記ハンドル部は、
少なくとも前記本体部の前記固定端側の端面及び外周面にて開口するとともに、前記シャフト部の前記軸線方向と交差する交差方向に延びるガイド溝を有するスライド結合部を備え、
前記ガイド溝の延びる前記交差方向に沿って前記シャフト部の他端をスライドさせることで、前記ハンドル部が前記シャフト部に着脱可能に固定されることを特徴とする請求項１乃至３のいずれか１項に記載の医療用ペースト混練注入器。
【請求項５】
前記ガイド溝には、前記シャフト部を前記ハンドル部の中心位置に位置決めして固定するための位置決め突起が設けられており、
前記シャフト部の他端側には、空洞部を有するとともに前記ガイド溝の延びる前記交差方向に沿って前記シャフト部をスライドさせた時に前記位置決め突起に接触して撓むことが可能な括れ部が設けられている
ことを特徴とする請求項４に記載の医療用ペースト混練注入器。
【請求項６】
前記括れ部は、前記ガイド溝の内面に対して面接触する一対のガイド壁面を有し、前記一対のガイド壁面間には前記空洞部が形成されていることを特徴とする請求項５に記載の医療用ペースト混練注入器。
【請求項７】
前記ガイド溝に収容される前記シャフト部の他端部の角部が面取りされていることを特徴とする請求項４乃至６のいずれか１項に記載の医療用ペースト混練注入器。
【請求項８】
前記本体部における前記自由端側の端面には、肉抜き凹部が形成されるとともに、
前記自由端側の端面の中央部には、前記自由端側の端面の外周部と同じ突出量となるように被押圧部が設けられている
ことを特徴とする請求項１乃至７のいずれか１項に記載の医療用ペースト混練注入器。
【発明の詳細な説明】
【技術分野】
【０００１】
本発明は、医療用ペーストを混練して注入する医療用ペースト混練注入器に関するものである。
【背景技術】
【０００２】
医療分野等において、医療用ペースト（例えば、リン酸カルシウム系の骨ペーストなど）を混練して注入する医療用ペースト混練注入器が実用化されている（特許文献１，２等参照）。
【０００３】
特許文献１，２に開示されている医療用ペースト混練注入器は、ノズル部を有するシリンダ、シリンダ内を軸線方向に摺動可能な仕切り具、仕切り具の貫通孔に挿通され、往復運動と回転運動とが可能なシャフト部、シャフト部の端部に設けられたハンドル部等を備えている。この医療用ペースト混練注入器において、シャフト部の端部には、弾性的な２本の係合爪が設けられている。また、ハンドル部は比較的薄い円板状に形成されており、その中央部に、シャフト部の２本の係合爪に係合する受段部を有する貫通孔が形成されている。そして、ハンドル部の貫通孔にその下側からシャフト部を押し込むことで、２本の係合爪が弾性的に変形し、さらにシャフト部を押し込むことで、２本の係合爪が受段部に係合する。これによって、ハンドル部とシャフト部とが一体化され、ハンドル部の操作によってシャフト部の回転運動や往復運動が行われる。また、シャフト部においてシリンダ内に位置する部分に攪拌部が設けられている。そして、シリンダ内において、シャフト部とともに攪拌部が回転したり往復したりすることによって、医療用ペーストが混練されるようになっている。
【先行技術文献】
【特許文献】
【０００４】
【特許文献１】特開２００８−１１３９０３号公報
【特許文献２】特開２０１０−１７８８７２号公報
【発明の概要】
【発明が解決しようとする課題】
【０００５】
ところが、従来の医療用ペースト混練注入器において、シャフト部に装着されるハンドル部は、比較的薄い円板状であり、握り難い形状となっていた。このため、ペーストの混練時においてシャフト部の往復操作がし難かった。さらに、医療用ペースト混練注入器では、シリンダ内において、仕切り具を介してシャフト部を引っ張る時には、大きな力が必要となる。この場合、シャフト部の係合爪がハンドル部の受段部から外れてしまうおそれがある。シャフト部の係合爪が外れる場合には、シャフト部を操作することができず、ペーストを混練することができなくなる。
【０００６】
また、特許文献１では、別の実施の形態として棒状のハンドル部が開示されているが、棒状のハンドル部ではサイズが大きくなりすぎて保管や取り扱いが煩雑になるといった問題があった。
【０００７】
本発明は上記の課題に鑑みてなされたものであり、その目的は、ハンドル部を確実に操作することができ、医療用ペーストの混練及び注入を効率よく迅速に行うことができる医療用ペースト混練注入器を提供することにある。
【課題を解決するための手段】
【０００８】
そして上記課題を解決するための手段（手段１）としては、一端に開口を有し他端にノズル部を有するシリンダと、前記シリンダの内部を前記シリンダの軸線方向に摺動可能な仕切り具と、前記仕切り具の中心を貫く貫通孔に挿通され、前記貫通孔を出入りする前記軸線方向への往復運動と軸線を中心とする回転運動とが可能なシャフト部と、前記シャフト部の一端であって前記シリンダ内に位置する部分に設けられた攪拌部と、前記シャフト部の他端であって前記シリンダ外に位置する部分に固定されるハンドル部とを備えた医療用ペースト混練注入器であって、前記ハンドル部は、前記シャフト部の一端側を向く固定端側からその反対側の自由端側に向けて径が大きくなるように錐台状に形成された本体部を有することを特徴する医療用ペースト混練注入器がある。
【０００９】
従って、手段１に記載の発明によると、ハンドル部の本体部は、固定端側からその反対側の自由端側に向けて径が大きくなるように錐台状に形成されている。このようにすると、医療用ペーストの混練時においてハンドル部を引っ張る際には、本体部の外周面に指が確実に引っ掛かる。このため、指を滑らせることなくハンドル部を操作することができ、医療用ペーストを確実に混練することができる。さらに、本体部が錐台状でありシンプルな形状となっているため、作業者は、誤った持ち方をすることなく、本体部の外周面を複数の指で容易に挟持することができ、ハンドル部を確実に操作することができる。
【００１０】
本体部は、角錐台状や円錐台状に形成されていてもよい。本体部を円錐台状に形成する場合、本体部の外周面が作業者の指先に違和感なくフィットするため、シャフト部を往復運動させる操作に加えて回転運動させる操作を容易に行うことができ、ハンドル部の操作性をより高めることができる。また、本体部を角錐台状とする場合には、例えば軸線方向と交差する断面視において８角形以上の多角形状に形成することが好ましい。このようにすると、本体部を円錐台状に近づけることができるため、ハンドル部の操作性を高めることができる。
【００１１】
本発明における「錐台状」とは、固定端側から自由端側に向けて径が大きくなるように形成される形状を広く指し、例えば径が段階的に大きくなるように形成されていて外周面に数ミリ程度の段差が存在するようなものも含むものとする。
【００１２】
軸線方向に沿った断面視における本体部の外周面は、湾曲しない直線状のテーパ面を有していてもよい。また、軸線方向に沿った断面視における本体部の外周面は、凹状に湾曲したテーパ面を有していてもよいし、凸状に湾曲したテーパ面を有していてもよい。このように本体部の外周面を形成しても、ハンドル部を引っ張る際に本体部の外周面に指が引っ掛かるため、指を滑らせることなく医療用ペーストを確実に混練することができる。
【００１３】
本体部における自由端側の外径は、特に限定されないが、例えば固定端側の外径よりも５ｍｍ以上大きいことが好ましい。このようにすると、本体部の外周面の傾斜角度を十分に確保することができ、ハンドル部を引っ張る際に本体部の外周面に指を確実に引っ掛けることができる。
【００１４】
本体部における軸線方向の寸法は、特に限定されないが、例えば本体部における自由端側の外径の０．５倍以上１．５倍以下であることが好ましい。また、本体部における自由端側の外径は、特に限定されないが、例えばシリンダにおいて仕切り具を収容している部分の外径の０．８倍以上１．５倍以下であることが好ましい。このようにすると、ハンドル部をコンパクトに形成することができ、医療用ペースト混練注入器を収納するケースのサイズを必要以上に大きくすることなく、シリンダやシャフト部等の部品とともにハンドル部を確実にケース内に収納することができる。
【００１５】
本体部の外周面には、複数の凸部または複数の凹部が形成されていてもよい。この場合、外周面の凸部や凹部が滑り止めとなるため、シャフト部を往復運動させたり回転運動させたりする際に、指が滑りにくくなり、ハンドル部の操作性をより高めることができる。
【００１６】
具体的には、本体部の外周面において、その全周に亘って複数の突起が形成されていてもよい。また、複数の突起は、直径が１ｍｍ以上５ｍｍ以下、高さが０．５ｍｍ以上５ｍｍ以下であり、複数の突起は、３ｍｍ以上１０ｍｍ以下の間隔をあけて配置されていてもよい。複数の凸部としては、突起以外に、例えば格子状に凸条部を設けてもよいが、この場合、凸条部の交差部分（角部）には、指が接触しない領域が存在し、十分なフィット感が得られなくなる。これに対して、直径が１ｍｍ以上５ｍｍ以下、高さが０．５ｍｍ以上５ｍｍ以下の比較的小さい複数の突起を３ｍｍ以上１０ｍｍ以下の間隔をあけて配置させるようにすると、作業者の指先に各突起が確実にフィットするため、ハンドル部の操作性をより高めることができる。
【００１７】
ハンドル部は、少なくとも本体部の固定端側の端面及び外周面にて開口するとともに、シャフト部の軸線方向と交差する交差方向に延びるガイド溝を有するスライド結合部を備え、ガイド溝の延びる交差方向に沿ってシャフト部の他端をスライドさせることで、ハンドル部がシャフト部に着脱可能に固定されていてもよい。医療用ペーストの混練時や注入時には、ハンドル部を操作してシャフト部を回転させたり軸線方向に直線的に移動させたりする。本発明のガイド溝はシャフト部の回転方向や軸線方向とは異なる方向（軸線方向の交差方向）に延びるように設けられているため、医療用ペーストの混練時や注入時にガイド溝に沿った方向に力が加わりにくく、ハンドル部がシャフト部から外れにくい。また、医療用ペーストの混練後において、ガイド溝の延びる交差方向に沿ってシャフト部の他端をスライドさせることで、シャフト部からハンドル部を容易に取り外すことができる。
【００１８】
ガイド溝は、軸線方向と直交する方向に直線的に延びるように設けられることがより好ましい。このようにすると、シャフト部の回転方向や軸線方向とは異なる方向にガイド溝が設けられるため、医療用ペーストの混練時や注入時においてハンドル部がシャフト部からいっそう外れにくくなる。一方、ガイド溝が直線的であることから、着脱動作を比較的簡単に行うことができるとともに、ガイド溝自体の形成を比較的簡単に行うことができる。
【００１９】
ガイド溝には、シャフト部をハンドル部の中心位置に位置決めして固定するための位置決め突起が設けられていてもよい。また、シャフト部の他端側には、空洞部を有するとともにガイド溝の延びる交差方向に沿ってシャフト部をスライドさせた時に位置決め突起に接触して撓むことが可能な括れ部が設けられていてもよい。このように、位置決め突起を設けることで、シャフト部をハンドル部の中心位置に確実に固定することができる。なお、本発明において、ハンドル部の中心位置とは、ハンドル部の軸線が通る位置のことである。ハンドル部をシャフト部に固定した状態では、ハンドル部の中心位置にある軸線とシャフト部の軸線とが一致する。また、シャフト部の他端側に括れ部を設けることで、ガイド溝にシャフト部の他端を確実に嵌合させることができる。さらに、括れ部は、空洞部を有し可撓性が付与されている。この場合、ガイド溝の延びる交差方向に沿ってシャフト部をスライドさせ、位置決め突起に括れ部が接触した時にある程度の力を加えると、括れ部が空洞部側に撓むことで、位置決め突起を乗り越えてハンドル部の中心位置にシャフト部をスムーズに移動させることができる。
【００２０】
括れ部は、ガイド溝の内面に対して面接触する一対のガイド壁面を有し、一対のガイド壁面間には空洞部が形成されていてもよい。このようにすると、括れ部のガイド壁面を面接触させた状態でシャフト部の他端をガイド溝に沿って確実に案内することができるとともに、位置決め突起に接触してガイド壁面を確実に撓ませることができる。また、シャフト部の他端がハンドル部の中心位置に位置決め固定された状態では、括れ部における一対のガイド壁面がガイド溝の内面に面接触することで、ハンドル部の回転方向の力をシャフト部に確実に伝達させることができる。
【００２１】
括れ部は、平坦面をなす一対のガイド壁面とガイド壁面に対して垂直な方向に設けられ空洞部が貫通形成される一対の壁面とを有する角柱状に形成され、空洞部が貫通形成された壁面の幅とガイド壁面の幅とが異なっていてもよい。具体的には、空洞部が貫通形成された壁面の幅が、ガイド溝の幅に対応して形成され、ガイド壁面の幅よりも狭くなっていてもよい。このようにすると、ガイド溝に対して誤った向きで括れ部を嵌合してしまうことが未然に回避される。この結果、括れ部のガイド壁面が位置決め突起に確実に接触してそのガイド壁面を撓ませることができる。
【００２２】
ガイド溝に収容されるシャフト部の他端部の角部が面取りされていてもよい。このようにすると、ガイド溝に他端部の角部が引っ掛かりにくくなり、ガイド溝内を移動するときの摺動抵抗が小さくなるため、シャフト部の他端部をガイド溝に容易に嵌め込むことができる。
【００２３】
ハンドル部の本体部の形成材料は特に限定されるものではないが、樹脂材料を用いて成形された樹脂製であることがより好ましい。樹脂成形により本体部を形成する場合、本体部を金属材で形成する場合と比較して軽くなるため、ハンドル部の操作性を高めることができる。
【００２４】
本体部における自由端側の端面には、肉抜き凹部が形成されるとともに、自由端側の端面の中央部には、自由端側の端面の外周部と同じ突出量となるように被押圧部が設けられていてもよい。このように、本体部に肉抜き凹部を形成することで、本体部における樹脂成型時のヒケを確実に防止することができる。また、医療用ペーストの注入時に、本体部における自由端側の端面において、外周部と中央部の被押圧部とを同時に押すことにより、ノズル部が形成されたシリンダの他端側にシャフト部を容易に押し込むことができる。このため、ハンドル部の操作性をより高めることができる。
【００２５】
シャフト部は、白以外の色で着色されていてもよい。また、医療用ペーストとしては、例えば白色の骨ペーストを挙げることができる。シャフト部を白以外の色で着色した場合、骨ペーストの混練時に、シャフト部やその端部にある攪拌部の位置を容易に確認することが可能となる。
【００２６】
ハンドル部は、シャフト部と同じ樹脂材料を用いて形成されていてもよい。この樹脂材料としては、例えばポリカーボネート、ポリエチレン、ポリプロピレン等のポリオレフィン樹脂を用いることができる。この場合、ハンドル部を低コストかつ十分な強度で製造することができる。
【図面の簡単な説明】
【００２７】
【図１】本実施の形態における医療用ペースト混練注入器の構成を示す断面図。
【図２】本実施の形態における医療用ペースト混練注入器を示す側面図。
【図３】シャフト部の括れ部、及びハンドル部を示す斜視図。
【図４】本体部の固定端側から見たハンドル部の下面図。
【図５】シャフト部の括れ部、及びハンドル部の断面を示す説明図。
【図６】シャフト部の括れ部、及びハンドル部を示す側面図。
【図７】本体部の自由端側から見たハンドル部の上面図。
【図８】押出用ストッパを示す斜視図。
【図９】ペースト注入時における医療用ペースト混練注入器を示す断面図。
【図１０】本体部の外周面において傾斜角度の異なるテーパ面を有する別の実施の形態のハンドル部を示す側面図。
【図１１】本体部の外周面において軸線方向と平行な平面とテーパ面とを有する別の実施の形態のハンドル部を示す側面図。
【図１２】本体部の外周面にフランジ部を有する別の実施の形態のハンドル部を示す側面図。
【図１３】本体部の外周面において凹状に湾曲したテーパ面を有する別の実施の形態のハンドル部を示す側面図。
【図１４】本体部の外周面において凸状に湾曲したテーパ面を有する別の実施の形態のハンドル部を示す側面図。
【図１５】楕円の錐台状に形成された本体部を有する別の実施の形態のハンドル部を示す下面図。
【図１６】８角形の角錐台状に形成された本体部を有する別の実施の形態のハンドル部を示す下面図。
【発明を実施するための形態】
【００２８】
以下、本発明を医療用ペースト混練注入器に具体化した一実施の形態を図面に基づき詳細に説明する。図１は、本実施の形態における医療用ペースト混練注入器の概略構成を示す断面図であり、図２は、その医療用ペースト混練注入器を示す側面図である。
【００２９】
図１及び図２に示されるように、本実施形態の医療用ペースト混練注入器１は、シリンダ２、ピストン３、固定部材４、及び押出用ストッパ５等を備える。医療用ペースト混練注入器１は、例えばリン酸カルシウムを主成分とする骨ペースト（医療用ペースト）を混練して注入するための器具である。なお、骨ペーストは、白色のペーストである。
【００３０】
シリンダ２は、一端に開口１０を有しその内部に骨ペーストを保持するための円筒体１１と、円筒体１１の一端となる開口端に設けられるフランジ部１２と、円筒体１１の他端に設けられるノズル部１３とを備えている。ノズル部１３は、その外周にネジ１４を有し、ネジ１４には略円柱形状をなすキャップ１５が螺着されている。また、そのキャップ１５を取り外すことで、ノズル部１３には、チューブや注射針等を取り付けることができるようになっている。キャップ１５は、円筒体１１の径と同等もしくは若干大きく形成される。フランジ部１２は、円筒体１１の開口端側から外側に向かって突出する長円形の鍔状に形成されており、長円形の湾曲辺１６が円筒体１１の外部に大きく張り出している。
【００３１】
ピストン３は、仕切り具２１、シャフト部２２、攪拌部２３及びハンドル部２４を備えている。固定部材４は、円筒体１１のフランジ部１２に着脱可能に固定されるとともに、円筒体１１の開口端側に配置された仕切り具２１に係合する。ここでは、仕切り具２１の係合部２１ａの周囲を取り囲むような形で固定部材４の係合部４ａが係合する。この結果、円筒体１１の開口端にて仕切り具２１が回転不能及び前後進不能に固定される。
【００３２】
仕切り具２１は、シリンダ２の内側と外側とを仕切るとともに、シリンダ２の内部をシリンダ２の軸線方向に摺動可能な合成樹脂製の部品である。仕切り具２１は、その中心を貫くように貫通孔２６が形成されており、この貫通孔２６にシャフト部２２が挿入されている。
【００３３】
シャフト部２２は、骨ペーストとは異なる白色以外の色（例えば緑色）で着色された合成樹脂製の丸棒であり、仕切り具２１の貫通孔２６を出入りする軸線方向Ｄ１への往復運動と軸線を中心とする円周方向Ｄ２への回転運動とが可能に設けられている。シャフト部２２は、長手方向の長さがシリンダ２の円筒体１１の深さよりも若干長くなるように形成されている。シャフト部２２の一端２８であって、シリンダ２の内部に位置する部分には、放射状に突出する複数の羽根を有する攪拌部２３が設けられている。シャフト部２２の他端２９であって、シリンダ２の外部に位置する部分には、ハンドル部２４が固定されている。
【００３４】
図３〜図６に示されるように、ハンドル部２４は、樹脂製の本体部３１と、その本体部３１に設けられたガイド溝３２を有するスライド結合部３３とを備える。本体部３１は、シャフト部２２と同じ樹脂材料、具体的にはポリカーボネートを用いて形成されている。本実施の形態の本体部３１は、シャフト部２２の一端２８側を向く固定端３５側からその反対側の自由端３６側に向けて径が大きくなるように円錐台状に形成されている。本体部３１における自由端３６側の外径は、固定端３５側の外径よりも５ｍｍ以上大きく、シリンダ２において仕切り具２１を収容している円筒体１１の外径の１．０倍程度となっている。具体的には、本体部３１における自由端３６側の外径は３０ｍｍ程度であり、固定端３５側の外径は２０ｍｍ程度となっている。また、本体部３１における軸線方向の寸法は、本体部３１における自由端３６側の外径とほぼ等しく３０ｍｍ程度となっている。
【００３５】
スライド結合部３３のガイド溝３２は、本体部３１においてシャフト部２２の軸線方向と交差する交差方向Ｄ３（本実施の形態では、軸線方向Ｄ１と直交する直交方向）に延びるように設けられており、本体部３１の固定端３５側の端面３７及び外周面３８にて開口している。このガイド溝３２の延びる交差方向Ｄ３に沿ってシャフト部２２の他端２９をスライドさせることで、ハンドル部２４がシャフト部２２に着脱可能に固定される。
【００３６】
詳しくは、ガイド溝３２は、本体部３１の中心位置（軸線が通る位置）まで形成されている。ガイド溝３２は、幅が狭い第１溝部４１と第１溝部４１よりも幅が広い第２溝部４２とを有し、第１溝部４１と第２溝部４２との境界に段差４３が形成されている。第２溝部４２は、シャフト部２２の直径（幅）とほぼ等しい幅を有し、外周面３８に開口している。また、第１溝部４１は、外周面３８に加えて固定端３５側の端面３７に開口している。第１溝部４１は、本体部３１の中心に向けて等幅でかつ直線的に延びるように形成され、第２溝部４２も本体部３１の中心に向けて等幅でかつ直線的に延びるように形成されている。そして、ガイド溝３２の第１溝部４１の内面５４には、シャフト部２２をハンドル部２４の中心位置に位置決めして固定するための位置決め突起４５が設けられている。位置決め突起４５は、シャフト部２２のスライド方向（交差方向Ｄ３）と直交する方向に延びるように設けられた細長い凸条部であり、その高さは０．２ｍｍ程度である。
【００３７】
図３、図５及び図６に示されるように、シャフト部２２の他端２９側には、空洞部５１を有するとともにガイド溝３２の延びる交差方向Ｄ３に沿ってシャフト部２２をスライドさせた時に位置決め突起４５に接触して撓むことが可能な括れ部５２が設けられている。シャフト部２２においてこの括れ部５２がガイド溝３２における第１溝部４１に嵌め込まれ、括れ部５２よりも先端側の部位が第２溝部４２に嵌め込まれるようになっている。
【００３８】
括れ部５２は、ガイド溝３２の第１溝部４１の内面５４に対して面接触する一対のガイド壁面５５と、ガイド壁面５５に対して垂直な方向に設けられた一対の壁面５６とを有する角柱状に形成されている。そして、平坦面をなすガイド壁面５５に対して垂直な方向に設けられた一対の壁面５６を貫通するように空洞部５１が設けられている。つまり、括れ部５２において、一対のガイド壁面５５間に空洞部５１が形成されている。
【００３９】
本実施の形態では、括れ部５２において、空洞部５１が貫通形成された壁面５６の幅とガイド壁面５５の幅とが異なっている。具体的には、空洞部５１が貫通形成された壁面５６の幅が、ガイド溝３２の第１溝部４１の幅に対応して形成され、ガイド壁面５５の幅よりも狭くなっている。このようにすると、ガイド溝３２の第１溝部４１に対して括れ部５２の向きを誤って嵌合させることが回避される。そして、ガイド溝３２の開口から空洞部５１が見えるように括れ部５２の向きを合わせ、かつ括れ部５２のガイド壁面５５がガイド溝３２の内面５４に接するように位置を合わせることで、シャフト部２２の他端２９がガイド溝３２に嵌め込まれる。さらに、シャフト部２２において、ガイド溝３２に収容される他端部５７の角部５８が面取りされている。
【００４０】
本実施の形態において、シャフト部２２の他端２９をガイド溝３２の延びる交差方向Ｄ３に沿ってスライドさせると、括れ部５２の各ガイド壁面５５が位置決め突起４５に接触する。このとき、ある程度の力を加えると、括れ部５２の各ガイド壁面５５が空洞部５１側に撓み、位置決め突起４５を乗り越えてシャフト部２２の他端２９がハンドル部２４の中心側に移動することが可能となる。また、シャフト部２２の他端２９がハンドル部２４の中心位置に移動すると、位置決め突起４５との接触が外れて括れ部５２の各ガイド壁面５５が撓んだ状態から元の真っ直ぐに伸びた状態に戻る。この結果、シャフト部２２の他端２９がハンドル部２４の中心位置に位置決め固定される。
【００４１】
このようにシャフト部２２の他端２９がハンドル部２４に固定された状態では、括れ部５２における一対のガイド壁面５５がガイド溝３２の内面５４に面接触するため、ハンドル部２４の回転方向の力がシャフト部２２に伝達される。また、シャフト部２２の他端部５７の端面がガイド溝３２（第２溝部４２）の内面に当接することで、ハンドル部２４を押す際の力がシャフト部２２に伝達される。さらに、シャフト部２２において括れ部５２の端部５９がガイド溝３２の段差４３に当接することで、ハンドル部２４を引っ張る際の力がシャフト部２２に伝達されるようになっている。
【００４２】
ハンドル部２４において、本体部３１の外周面３８は、シャフト部２２の軸線方向に対して傾斜したテーパ面を有しており、その全周に亘って複数の突起６１が形成されている。複数の突起６１の直径は２ｍｍ程度、高さは１ｍｍ程度であり、複数の突起６１は、５ｍｍ程度の間隔をあけて配置されている。
【００４３】
また、図５及び図７に示されるように、本体部３１における自由端３６側の端面３９には、樹脂成型時のヒケを防止するための肉抜き凹部６３が形成されている。さらに、自由端３６側の端面３９の中央部には、その端面３９の外周部６４と同じ突出量となるように被押圧部６５が設けられている。本体部３１における自由端３６側の端面３９において、外周部６４と被押圧部６５とを同時に押すことで十分な押圧力が得られるようになっている。
【００４４】
図１に示されるように、押出用ストッパ５は、仕切り具２１とハンドル部２４との間隔を保持すべくシャフト部２２の外周面６８に着脱されるスペーサとして機能する部材である。図８に示されるように、押出用ストッパ５は、シャフト部２２の外周面６８に対して嵌着される嵌着凹部７０が形成されたストッパ本体７１と、ストッパ本体７１の外面７３に突設された指掛け部７２とを備える。押出用ストッパ５は、シャフト部２２やハンドル部２４と同じ樹脂材料、具体的にはポリカーボネートを用いて形成されている。
【００４５】
押出用ストッパ５のストッパ本体７１における軸線方向に離れた両端には、シャフト部２２の外周面６８を挟持する二対の挟持片７４が形成されている。ストッパ本体７１において、その両端の角部に位置する各挟持片７４の先端７５が面取りされている。各挟持片７４の内面７６は、シャフト部２２の外周面６８と同じ曲率で湾曲した円弧状に形成され、その円弧の角度が半円よりも大きな凹面となっている。また、ストッパ本体７１において、各挟持片７４よりも軸線方向の中央部側に位置する連結支持部７７の内面７８は、シャフト部２２の外周面６８と同じ曲率で湾曲した半円弧状の凹面となっている。本実施の形態の押出用ストッパ５では、これら挟持片７４の内面７６及び連結支持部７７の内面７８によって嵌着凹部７０が構成される。
【００４６】
指掛け部７２は、軸線方向に沿って延びるように形成されたリブである。押出用ストッパ５の外面７３側には、文字の印刷スペースとなる平坦面７９を有する平坦部８０が設けられ、指掛け部７２は、平坦部８０の両端縁を幅方向に張り出すことで形成されている。シャフト部２２の外周面６８に装着された押出用ストッパ５は、仕切り具２１をシャフト部２２とともにシリンダ２の内部に押し込んで医療用ペーストをシリンダ２から吐出させる（図９参照）。
【００４７】
次に、上記のように構成した医療用ペースト混練注入器１の使用方法について説明する。
【００４８】
先ず、シリンダ２の内部には、予めペーストの原料の粉体が収納されており、医者や看護師などの作業者は、シリンダ２の円筒体１１のノズル部１３に螺着されたキャップ１５を取り外す。そして、作業者は、ノズル部１３からシリンダ２内にペーストの原料を硬化させるための液体を注入し、再びノズル部１３にキャップ１５を締め付ける。さらに、作業者は、押出用ストッパ５の指掛け部７２の部分に指を掛けて引っ張ることにより、押出用ストッパ５をシャフト部２２の外周面６８から取り外す。
【００４９】
その後、作業者は、ハンドル部２４の外周面３８を複数の指で挟み込んでハンドル部２４を操作することにより、シリンダ２の軸線を中心とする円周方向Ｄ２へのピストン３の回転運動と軸線方向Ｄ１へのピストン３の往復運動とを複合的に行う。このとき、シャフト部２２が仕切り具２１の貫通孔２６を出入りし、シャフト部２２の一端２８側に設けられた攪拌部２３によって粉末のペースト原料と液体とが混練される。このように、仕切り具２１で仕切られたシリンダ２内で骨ペーストを混練するため、混練時の異物の混入が回避される。また、ハンドル部２４を操作してピストン３の回転運動と往復運動とを複合的に行う場合であっても、軸線方向Ｄ１や回転方向Ｄ２とは異なる交差方向Ｄ３に延びるようにガイド溝３２が形成されているため、ハンドル部２４がシャフト部２２から外れることがない。
【００５０】
作業者は、骨ペーストの混練が終了した後、ピストン３のシャフト部２２を上方に向けていっぱいに引き戻し、その状態で、シャフト部２２の外周面６８に押出用ストッパ５を再度装着する。次に、作業者は、固定部材４をフランジ部１２及び仕切り具２１から取り外す。さらに、作業者は、図９に示されるように、ノズル部１３のキャップ１５をチューブ１８に付け替えた後、ハンドル部２４の自由端３６側の端面３９における外周部６４及び被押圧部６５を押すことで、ピストン３をシリンダ２内に押し込む。このとき、シリンダ２内においてシャフト部２２とともに仕切り具２１が軸線方向Ｄ１に移動する。そして、シリンダ２内の骨ペーストは、仕切り具２１の移動に伴って外部へ圧出され、ノズル部１３に装着されたチューブ１８を通って患部に注入される。
【００５１】
また、本実施の形態の医療用ペースト混練注入器１では、ハンドル部２４がシャフト部２２から着脱可能に設けられている。このため、骨ペーストの混練後にシャフト部２２からハンドル部２４を取り外し、機械式の注入ガン（図示略）を用いて骨ペーストの患部への注入を行うことも可能である。
【００５２】
従って、本実施の形態によれば以下の効果を得ることができる。
【００５３】
（１）本実施の形態の医療用ペースト混練注入器１では、ハンドル部２４の本体部３１は、固定端３５側からその反対側の自由端３６側に向けて径が大きくなるように円錐台状に形成されているので、外周面３８は傾斜したテーパ面となる。従って、骨ペーストの混練時においてハンドル部２４を引っ張る際には、本体部３１の外周面３８に指が確実に引っ掛かる。このため、指を滑らせることなくハンドル部２４を操作することができ、骨ペーストを確実に混練することができる。さらに、本体部３１が円錐台状でありシンプルな形状となっているため、作業者は、誤った持ち方をすることなく、本体部３１の外周面３８を複数の指で容易に挟持することができ、ハンドル部２４を確実に操作することができる。また、ハンドル部２４の本体部３１を円錐台状に形成することで、外周面３８が作業者の指先に違和感なくフィットする。このため、ハンドル部２４を用いてシャフト部２２を往復運動させる操作に加えて回転運動させる操作を容易に行うことができ、ハンドル部２４の操作性をより高めることができる。従って、本実施の形態の医療用ペースト混練注入器１を用いると、骨ペーストを短時間で確実に混練することができ、より均質な骨ペーストを患部に供給することができる。
【００５４】
（２）本実施の形態の医療用ペースト混練注入器１では、ハンドル部２４における本体部３１の外周面３８には、その全周に亘って複数の突起６１が形成されている。これら突起６１の直径は２ｍｍ程度、高さは１ｍｍ程度であり、各突起６１は、５ｍｍ程度の間隔をあけて配置されている。このように本体部３１の外周面３８に複数の突起６１を設ける場合、作業者の指先に各突起６１が確実にフィットするため、指が滑りにくくなり、ハンドル部２４の操作性をより高めることができる。
【００５５】
（３）本実施の形態の医療用ペースト混練注入器１において、ハンドル部２４をシャフト部２２に固定するガイド溝３２は、シャフト部２２の軸線方向Ｄ１や回転方向Ｄ２とは異なる方向（軸線方向Ｄ１と交差する交差方向Ｄ３）に直線的に延びるように設けられている。このため、骨ペーストの混練時や注入時にガイド溝３２に沿った方向に力が加わりにくく、ハンドル部２４がシャフト部２２から外れにくい。また、医療用ペーストの混練後において、ガイド溝３２の延びる交差方向Ｄ３に沿ってシャフト部２２の他端２９をスライドさせることで、シャフト部２２からハンドル部２４を容易に取り外すことができる。特に、本実施の形態では、ガイド溝３２が直線的であることから、着脱動作を比較的簡単に行うことができるとともに、ガイド溝３２自体の形成を比較的簡単に行うことができる。
【００５６】
（４）本実施の形態の医療用ペースト混練注入器１において、ガイド溝３２には、シャフト部２２をハンドル部２４の中心位置に位置決めして固定するための位置決め突起４５が設けられている。また、シャフト部２２の他端２９側には、空洞部５１を有する括れ部５２が設けられている。このように、ガイド溝３２に位置決め突起４５を設けることで、シャフト部２２をハンドル部２４の中心位置に確実に固定することができる。また、シャフト部２２の他端２９側に括れ部５２を設けることで、ガイド溝３２にシャフト部２２の他端２９を確実に嵌合させることができる。さらに、括れ部５２は、空洞部５１を有し可撓性が付与されている。この場合、ガイド溝３２の延びる交差方向Ｄ３に沿ってシャフト部２２をスライドさせ、位置決め突起４５に括れ部５２が接触した時にある程度の力を加えると、括れ部５２が撓むことで位置決め突起４５を乗り越えてハンドル部２４の中心位置にシャフト部２２をスムーズに移動させることができる。
【００５７】
（５）本実施の形態の医療用ペースト混練注入器１では、シャフト部２２の括れ部５２は、ガイド溝３２の第１溝部４１の内面５４に対して面接触する一対のガイド壁面５５を有し、一対のガイド壁面５５間には空洞部５１が形成されている。このようにすると、括れ部５２のガイド壁面５５を面接触させた状態でシャフト部２２の他端２９をガイド溝３２に沿って確実に案内することができるとともに、ガイド壁面５５が位置決め突起４５に接触してそのガイド壁面５５を確実に撓ませることができる。また、シャフト部２２の他端２９がハンドル部２４の中心位置に位置決め固定された状態では、括れ部５２における一対のガイド壁面５５がガイド溝３２の内面５４に面接触することで、ハンドル部２４の回転方向の力をシャフト部２２に確実に伝達させることができる。
【００５８】
（６）本実施の形態の医療用ペースト混練注入器１では、シャフト部２２の括れ部５２は、平坦面をなす一対のガイド壁面５５とガイド壁面５５に対して垂直な方向に設けられ空洞部５１が貫通形成される一対の壁面５６とを有する角柱状に形成される。そして、空洞部５１が貫通形成された壁面５６の幅が、ガイド溝３２の第１溝部４１の幅に対応して形成され、ガイド壁面５５の幅よりも狭くなっている。このようにすると、ガイド溝３２に対して誤った向きで括れ部５２を嵌合してしまうことが未然に回避される。この結果、括れ部５２のガイド壁面５５が位置決め突起４５に確実に接触してそのガイド壁面５５を撓ませることができる。
【００５９】
（７）本実施の形態の医療用ペースト混練注入器１では、シャフト部２２において、ガイド溝３２に収容される他端部５７の角部５８が面取りされている。このようにすると、他端部５７の角部５８がガイド溝３２に引っ掛かりにくくなり、ガイド溝３２内を移動するときの摺動抵抗が小さくなるため、シャフト部２２の他端部５７をガイド溝３２（第２溝部４２）に容易に嵌め込むことができる。また、シャフト部２２の他端部５７の角部５８が面取りされているため、仕切り具２１の貫通孔２６内にシャフト部２２を容易に挿入することができ、仕切り具２１におけるシール材等の破損を回避することができる。
【００６０】
（８）本実施の形態の医療用ペースト混練注入器１では、ハンドル部２４の本体部３１における自由端３６側の端面３９に肉抜き凹部６３が形成されているので、本体部３１における樹脂成型時のヒケを確実に防止することができる。また、ハンドル部２４の本体部３１において、自由端３６側の端面３９の中央部には、その外周部６４と同じ突出量となるように被押圧部６５が設けられている。従って、医療用ペーストの混練時や注入時に、本体部３１の外周部６４と被押圧部６５とを押すことにより、シャフト部２２をシリンダ２内に容易に押し込むことができ、ハンドル部２４の操作性をより高めることができる。
【００６１】
（９）本実施の形態の医療用ペースト混練注入器１において、ハンドル部２４の本体部３１における軸線方向の寸法は、本体部３１の自由端３６側の外径とほぼ等しくなっている。また、本体部３１の自由端３６側の外径は、仕切り具２１を収容しているシリンダ２の円筒体１１の外径とほぼ等しく、フランジ部１２の外径よりも小さくなっている。このように、ハンドル部２４をコンパクトに形成することにより、医療用ペースト混練注入器１を収納するケースのサイズを必要以上に大きくすることなく、シリンダ２やシャフト部２２等の部品とともにハンドル部２４をケース内に確実に収納することができる。また、医療用ペースト混練注入器１は滅菌処理をして使用されるが、本実施の形態のようにハンドル部２４をコンパクトに形成することで、シリンダ２やシャフト部２２等の部品とともに滅菌袋に収納して確実に保管することができる。
【００６２】
なお、本発明の実施の形態は以下のように変更してもよい。
【００６３】
・上記実施の形態の医療用ペースト混練注入器１において、ハンドル部２４の本体部３１は円錐台状に形成されており、本体部３１においてテーパ状に傾斜した外周面３８の傾斜角度は一定であったが、これに限定されるものではない。図１０〜図１４に示されるハンドル部２４Ａ〜２４Ｅのように、本体部３１Ａ〜３１Ｅにおける外周面３８Ａ〜３８Ｅの形状を変更してもよい。図１０に示される本体部３１Ａでは、外周面３８Ａにおいて固定端３５側の傾斜角度が緩やかとなっており、軸線方向Ｄ１の中央部分で傾斜角度が変更され、自由端３６側の傾斜角度が大きくなっている。なお、図１０の本体部３１Ａでは、傾斜角度を２段階で変更しているが、３段階以上の多段階で傾斜角度を変更するよう外周面を形成してもよい。また、外周面全体を傾斜させる必要はなく、外周面の一部に傾斜しない部分を設けてもよい。図１１に示される本体部３１Ｂでは、外周面３８Ｂにおいて自由端３６側の一部が軸線方向Ｄ１と平行に形成され、他の部分が傾斜したテーパ面となっている。また、図１２に示される本体部３１Ｃにおいて、外周面３８Ｃの自由端３６側には外側に突出するフランジ部８２が形成されている。さらに、図１３に示されるように、本体部３１Ｄの外周面３８Ｄは、凹状に湾曲したテーパ面を有していてもよいし、図１４に示されるように、本体部３１Ｅの外周面３８Ｅは、凸状に湾曲したテーパ面を有していてもよい。
【００６４】
・上記実施の形態の医療用ペースト混練注入器１において、ハンドル部２４，２４Ａ〜２４Ｅの本体部３１，３１Ａ〜３１Ｅは円錐台状に形成されていたが、本体部３１，３１Ａ〜３１Ｅの形状は錐台状であれば適宜変更してもよい。具体的には、図１５に示されるハンドル部２４Ｆのように、楕円の錐台状に本体部３１Ｆを形成してもよい。さらに、図１６に示されるハンドル部２４Ｇのように、例えば８角形の角錐台状に本体部３１Ｇを形成してもよい。なお、図１５及び図１６は、本体部３１Ｆ，３１Ｇにおいて径が小さな固定端３５側から見たハンドル部２４Ｆ，２４Ｇの下面図である。図１５及び図１６に示されるように、各本体部３１Ｆ，３１Ｇには、上記実施の形態と同様にシャフト部２２の他端２９を固定するためのガイド溝３２が形成されている。
【００６５】
次に、特許請求の範囲に記載された技術的思想のほかに、前述した実施の形態によって把握される技術的思想を以下に列挙する。
【００６６】
（１）手段１において、前記ハンドル部の外周面には、複数の突起が形成されていることを特徴とする医療用ペースト混練注入器。
【００６７】
（２）手段１において、前記ハンドル部の外周面には、その全周に亘って複数の突起が形成されていることを特徴とする医療用ペースト混練注入器。
【００６８】
（３）技術的思想（２）において、前記複数の突起は、３ｍｍ以上１０ｍｍ以下の間隔をあけて配置されていることを特徴とする医療用ペースト混練注入器。
【００６９】
（４）技術的思想（１）乃至（３）のいずれかにおいて、前記複数の突起は、直径が１ｍｍ以上５ｍｍ以下、高さが０．５ｍｍ以上５ｍｍ以下であることを特徴とする医療用ペースト混練注入器。
【００７０】
（５）手段１において、前記本体部における前記自由端側の外径は、前記固定端側の外径よりも５ｍｍ以上大きいことを特徴とする医療用ペースト混練注入器。
【００７１】
（６）手段１において、前記本体部における軸線方向の寸法は、前記本体部における前記自由端側の外径の０．５倍以上１．５倍以下であることを特徴とする医療用ペースト混練注入器。
【００７２】
（７）手段１において、前記本体部における前記自由端側の外径は、前記シリンダにおいて前記仕切り具を収容している部分の外径の０．８倍以上１．５倍以下であることを特徴とする医療用ペースト混練注入器。
【００７３】
（８）手段１において、前記本体部の外周面は、テーパ面を有することを特徴とする医療用ペースト混練注入器。
【００７４】
（９）手段１において、軸線方向に沿った断面視における前記本体部の外周面は、湾曲しない直線状のテーパ面を有することを特徴とする医療用ペースト混練注入器。
【００７５】
（１０）手段１において、軸線方向に沿った断面視における前記本体部の外周面は、凹状に湾曲したテーパ面を有することを特徴とする医療用ペースト混練注入器。
【００７６】
（１１）手段１において、軸線方向に沿った断面視における前記本体部の外周面は、凸状に湾曲したテーパ面を有することを特徴とする医療用ペースト混練注入器。
【００７７】
（１２）手段１において、ハンドル部は、少なくとも前記本体部の前記固定端側の端面及び外周面にて開口するとともに、前記シャフト部の前記軸線方向と直交する交差方向に直線的に延びるガイド溝を有するスライド結合部を備え、前記ガイド溝の延びる前記交差方向に沿って前記シャフト部の他端をスライドさせることで、前記ハンドル部が前記シャフト部に着脱可能に固定されることを特徴とする医療用ペースト混練注入器。
【００７８】
（１３）技術的思想（１２）において、前記ガイド溝には、前記シャフト部を前記ハンドル部の中心位置に位置決めして固定するための位置決め突起が設けられており、前記シャフト部の他端側には、空洞部を有するとともに前記ガイド溝の延びる前記交差方向に沿って前記シャフト部をスライドさせた時に前記位置決め突起に接触して撓むことが可能な括れ部が設けられ、前記括れ部は、平坦面をなす前記一対のガイド壁面と前記ガイド壁面に対して垂直な方向に設けられ前記空洞部が貫通形成される一対の壁面とを有する角柱状に形成され、前記空洞部が貫通形成された前記壁面の幅と前記ガイド壁面の幅とが異なっていることを特徴とする医療用ペースト混練注入器。
【００７９】
（１４）技術的思想（１３）において、前記空洞部が貫通形成された前記壁面の幅が、前記ガイド溝の幅に対応して形成されることを特徴とする医療用ペースト混練注入器。
【００８０】
（１５）手段１において、前記シャフト部は、白以外の色で着色されていることを特徴とする医療用ペースト混練注入器。
【００８１】
（１６）手段１において、前記ハンドル部は、前記シャフト部と同じ樹脂材料を用いて形成されることを特徴とする医療用ペースト混練注入器。
【符号の説明】
【００８２】
１…医療用ペースト混練注入器
２…シリンダ
１０…開口
１３…ノズル部
２１…仕切り具
２２…シャフト部
２３…攪拌部
２４，２４Ａ〜２４Ｇ…ハンドル部
２６…貫通孔
２８…シャフト部の一端
２９…シャフト部の他端
３１，３１Ａ〜３１Ｇ…本体部
３２…ガイド溝
３３…スライド結合部
３５…固定端
３６…自由端
３７…固定端側の端面
３８，３８Ａ〜３８Ｇ…外周面
３９…自由端側の端面
４５…位置決め突起
５１…空洞部
５２…括れ部
５５…ガイド壁面
５７…シャフト部の他端部
５８…角部
６１…複数の凸部としての突起
６３…肉抜き凹部
６４…外周部
６５…被押圧部
Ｄ１…軸線方向
Ｄ３…交差方向
【図１】
2016036401.tif 000003
【図２】
2016036401.tif 000004
【図３】
2016036401.tif 000005
【図４】
2016036401.tif 000006
【図５】
2016036401.tif 000007
【図６】
2016036401.tif 000008
【図７】
2016036401.tif 000009
【図８】
2016036401.tif 000010
【図９】
2016036401.tif 000011
【図１０】
2016036401.tif 000012
【図１１】
2016036401.tif 000013
【図１２】
2016036401.tif 000014
【図１３】
2016036401.tif 000015
【図１４】
2016036401.tif 000016
【図１５】
2016036401.tif 000017
【図１６】
2016036401.tif 000018